(57)【特許請求の範囲】
【請求項１】
電気接続箱に、一対の挟持板を弾性連結部で連結すると共に該挟持板の長さ方向の一側先端に係止爪を突設しているヒューズプラーを横位置で保持する構造であって、
上記電気接続箱のケース上面に上方へ突出した台座部を設け、該台座部の上面にヒューズプラーを水平方向の横位置で着脱自在に係止する係止部を突設すると共に、該台座部の長さを、少なくとも長さ方向の一端よりヒューズプラーが突出する寸法に設定し、ケース上面とヒューズプラーとの間にヒューズプラーを取出用隙間を設けていることを特徴とする電気接続箱におけるヒューズプラー保持構造。
【請求項２】
上記台座部は段状に突出し、該台座部の上面に、ヒューズプラーの一対の挟持板の略中央部を連結する円弧形状の弾性連結部の内周面に嵌合し、該内周面に設けたロック溝と係止するロック爪を設けた略円柱状の第１係止部と、ヒューズプラーの上記係止爪の突設側と反対側に位置する把持部側の挟持板の間に内嵌する四角枠形状の第２係止部とを突設し、かつ、上記係止爪突設側の挟持板の両側外面に当接する一対の垂直壁からなる第３係止部を設けている請求項１に記載のヒューズプラー保持構造。
【請求項３】
上記台座部を傾斜して突出させ、該台座部の突出した上端よりヒューズプラーの一側を突出させて、ケース上面との間に上記取出用隙間を設けている請求項１に記載のヒューズプラー保持構造。
【請求項４】
上記台座部の突出した上端側の上面中央より、ヒューズプラーの一対の挟持板の略中央部を連結する円弧形状の弾性連結部の内周面に嵌合する略円柱状の第１係止部を突設すると共に、台座部の下端側にヒューズプラーの係止爪側の挟持板の先端に当接する第２係止部を突設し、かつ、台座部の両側に挟持板の両側外面に当接する一対の垂直壁からなる第３係止部を突設し、さらに、第３係止部の上端よりヒューズプラーの上面に当接する爪状の第４係止部を突設している請求項３に記載の電気接続箱のヒューズプラー保持構造。
【請求項５】
上記台座部は、ケース上面より突出したヒューズ収容部の外壁に沿って形成し、該外壁と対向する台座部の側縁より突出した上記垂直壁との間で、ヒューズプラーを保護している請求項２または請求項４に記載の電気接続箱のヒューズプラー保持構造。
【発明の詳細な説明】
【０００１】
【産業上の利用分野】
本発明は、電気接続箱におけるヒューズプラー保持構造に関し、詳しくは、電気接続箱のヒューズ収容部からヒューズの抜き取りおよびヒューズの挿入を行うために用いるヒューズプラーを、着脱自在に係止して保持する保持部を、電気接続箱のヒューズ収容部近傍に設けたものである。
【０００２】
【従来の技術】
従来、自動車に搭載する電気接続箱には、図５に示すように、電気接続箱１に設けたヒューズ収容部２からヒューズ３を抜き取るため、また、必要に応じてヒューズ収容部２にヒューズ３を挿入するためヒューズプラー４を用いており、該ヒューズプラー４を保持する保持部をヒューズ収容部２の近傍に形成している。
【０００３】
ヒューズプラー４は合成樹脂で一体成形され、種々の形状があるが、図５に示すヒューズプラー４は、一対の挟持板４ａ，４ａの略中央部を円弧形状の弾性連結部４ｃで連結し、一側を把持部４ｂ，４ｂとすると共に、他側の先端に係止爪４ｄ、４ｄを設けている。該ヒューズプラー４は、把持部４ｂ、４ｂを指先でつまみ、係止爪４ｄ、４ｄをヒューズ３の係止溝に係止して、ヒューズ３をヒューズ収容部２から抜き出し、また、挿入している。
【０００４】
上記ヒューズプラー４は、不使用時には、ヒューズ収容部２の近傍のケース上面に着脱自在に保持している。保持姿勢として、ヒューズプラーを水平方向の横位置で保持する構造と垂直方向の縦位置で保持する構造があるが、横位置に保持すると、電気接続箱の高さが大とならないため利点があり、よって、スペースがあれば、横位置で保持する構造とされている。
【０００５】
図５および図６に示す保持構造は横位置で保持するもので、電気接続箱１のケース上面で、ヒューズ収容部２の側方位置に、第１係止部５、第２係止部７、第３係止部６とからなるヒューズプラー保持部を設けている。上記第１係止部５はヒューズプラー４の弾性連結部４ｃの内周面に嵌合する円柱形状で、その周面から突設したロック爪５ａを弾性連結部４ｃのロック溝に係止して上方への抜け止めを図っている。第２係止部７は四角枠形状で、把持部４ｂ、４ｂの間に嵌合して回り止めと前後方向の位置決めを図っている。第３係止部６は断面Ｔ形状の突起からなり、係止爪４ｄ、４ｄと係止して回り止めおよび前後方向の位置決めを図っている。
【０００６】
上記のように電気接続箱に保持されているヒューズプラー４は、使用時、図６（Ｂ）のように、作業員が指先Ａを挟持板の一端に引っ掛け、ヒューズプラー４を斜め上方に引き起こして各係止部５〜７から取り外すようになっている。
【０００７】
【発明が解決しようとする課題】
しかしながら、電気接続箱１のケース上面と横位置に保持されたヒューズプラー４との間に指先Ａが入る隙間が無いため、指先Ａでヒューズプラー４を取り外すのが非常に困難であった。
【０００８】
本発明は上記問題を解消するためになされたもので、電気接続箱に横位置で保持したヒューズプラーを取り外しやすくできるヒューズプラーの保持構造を提供することを目的とするものである。
【０００９】
【課題を解決するための手段】
上記目的を達成するために、本発明の請求項１では、電気接続箱に、一対の挟持板を弾性連結部で連結すると共に該挟持板の長さ方向の一側先端に係止爪を突設しているヒューズプラーを横位置で保持する構造であって、
上記電気接続箱のケース上面に上方へ突出した台座部を設け、該台座部の上面にヒューズプラーを水平方向の横位置で着脱自在に係止する係止部を突設すると共に、該台座部の長さを、少なくとも長さ方向の一端よりヒューズプラーが突出する寸法に設定し、ケース上面とヒューズプラーとの間にヒューズプラーを取出用隙間を設けていることを特徴とする電気接続箱におけるヒューズプラー保持構造を提供している。
【００１０】
上記台座部は段状に突出し、該台座部の上面に、ヒューズプラーの一対の挟持板の略中央部を連結する円弧形状の弾性連結部の内周面に嵌合し、該内周面に設けたロック溝と係止するロック爪を設けた略円柱状の第１係止部と、ヒューズプラーの上記係止爪の突設側と反対側に位置する把持部側の挟持板の間に内嵌する四角枠形状の第２係止部とを突設し、かつ、上記係止爪突設側の挟持板の両側外面に当接する一対の垂直壁からなる第３係止部を設けている。（請求項２）
【００１１】
あるいは、上記台座部を傾斜して突出させ、該台座部の突出した上端よりヒューズプラーの一側を突出させて、ケース上面との間に上記取出用隙間を設けている。（請求項３）
【００１２】
上記台座部を傾斜させた場合、その突出した上端側の上面中央より、ヒューズプラーの一対の挟持板の略中央部を連結する円弧形状の弾性連結部の内周面に嵌合する略円柱状の第１係止部を突設すると共に、台座部の下端側の中央上面よりヒューズプラーの係止爪側の挟持板の先端に当接する第２係止部を突設し、かつ、台座部の両側に挟持板の両側外面に当接する一対の垂直壁からなる第３係止部を突設し、さらに、第３係止部の上端よりヒューズプラーの上面に当接する爪状の第４係止部を突設している。（請求項４）
【００１３】
上記台座部は、ケース上面より突出したヒューズ収容部の外壁に沿って形成し、該外壁と対向する台座部の側縁より突出した上記垂直壁との間で、ヒューズプラーを保護することが好ましい。
【００１４】
【作用】
本発明の請求項１に記載のヒューズプラー保持構造によれば、ケース上面に横位置で保持したヒューズプラーの全体が台座部で上方に底上げされるから、ケース上面と横位置のヒューズプラーとの間に指先が入る隙間が形成され、指先でヒューズプラーを簡単に取り外せるようになる。
【００１５】
請求項２に記載のヒューズプラー保持構造によれば、台座部を段状に形成しているため、ヒューズプラーは台座上で水平に保持される。かつ、各係止部により前後方向の位置決め、回り止め及び上方への抜けが防止でき、ヒューズプラーを脱落することなく、確実に保持できる。
【００１６】
請求項３に記載のヒューズプラー保持構造によれば、台座部を傾斜させているため、ヒューズプラーの全体の保持位置を高くすることなく、台座部の突出端とケース上面との隙間を大きくでき、ヒューズプラー抜き取り時に指を入れる空間を大きくできる。
【００１７】
請求項４に記載のヒューズプラー保持構造によれば、請求項２と同様に、各係止部により前後方向の位置決め、回り止め及び上方への抜けが防止でき、ヒューズプラーを脱落することなく、確実に保持できる。
【００１８】
請求項５に記載のヒューズプラー保持構造によれば、ヒューズ収容部の外壁を保護壁として利用でき、保持しているヒューズプラーの両側を壁により保護するため、外部部材がヒューズプラーに干渉して、ヒューズプラーに損傷が発生したり、係止部との係止が外れてヒューズプラーが脱落することを防止できる。
【００１９】
【実施例】
以下、本発明を図示の実施例に基づいて詳細に説明する。
なお、図５以下の従来技術と同一構成・作用の箇所は同一番号を付して詳細な説明は省略する。
図１〜図３は第１実施例のヒューズプラー４の保持構造である。
【００２０】
電気接続箱１のケース上面１ａのヒューズプラー保持位置には、ヒューズプラー４の全体を上方に所定高さＨで底上げする直方体形状の台座部１０が段状に一体成形されている。
【００２１】
該台座部１０の長さ方向の略中間には、ヒューズプラー４の一対の挟持板４ａ、４ａの略中央部を連結する円弧形状の弾性連結部４ｃの内周面に嵌合し、該内周面に設けたロック溝（図示せず）と係止するロック爪１１ａを設けた略円柱状の第１係止部１１を突設している。また、該第１係止部１１と所要間隔をあけて、ヒューズプラーの把持部４ｂ、４ｂの間に内嵌する四角枠形状の第２係止部１３を突設している。該第２係止部１３と反対側、即ち、係止爪４ｄ、４ｄを突設した側の挟持板４ａ、４ａの外面に当接する一対の垂直壁からなる第３係止部１２、１２を設けている。
【００２２】
上記台座部１０にヒューズプラー４を水平方向に横置した時、上記第１係止部１１でヒューズプラー４の前後方向Ｂが位置決めされると共に、上方への抜けが防止される。また、第２係止部１３によりヒューズプラー４の左右方向Ｃへの回り止めと前後方向への位置決めがされる。さらに、第３係止部１２、１２により回り止めが図られる。
【００２３】
上記垂直壁からなる第３係止部１２，１２は、図３（Ｂ）に詳細に示すように、高く突出させ、ヒューズプラー４の挟持板４ａの外側面の約半分程度を広く覆うようにしている。
【００２４】
上記台座部１０は、ヒューズ収容部２の外壁２ａに沿って突出しており、上記第３係止部１２の一方壁は外壁２ａより突設している。上記ヒューズ収容部の外壁２ａは、台座部１０上にヒューズプラー４を横置きした状態で、ヒューズプラー４より上方へ突出している。
【００２５】
上記第１実施例のヒューズプラー保持装置では、ケース上面１ａに横位置で保持されるヒューズプラー４の全体が台座部１０で上方に底上げされるから、ケース上面１ａと横位置のヒューズプラー４との間に指先Ａが入る隙間Ｓが形成される。よって、隙間Ｓに指先Ａを容易に入れることができ、指先Ａでヒューズプラー４を斜め上方に引き起こして、各係止部１１〜１３から簡単に取り外せる。
また、ヒューズプラー４を再び台座部１０に保持するときは、従来と同様に、各係止部１１〜１３の間に上方から嵌め込むだけでよい。
【００２６】
上記第３係止部１２は広幅形状に形成しており、しかも、一方は、高く突出したヒューズ収容部２の外壁２ａで囲んでいるため、外部部材がヒューズプラー４に干渉しにくく、外部部材によりヒューズプラーに損傷が生じたり、ヒューズプラー４が不用意に各係止部１１〜１３との係止が外れて、脱落するおそれがなく、信頼性が向上する。
【００２７】
図４は第２実施例のヒューズプラー４の保持構造である。第２実施例は第１実施例と同様にヒューズ収容部の外壁にそってヒューズプラー保持部を設けている。該第２実施例では、ヒューズプラー４の係止爪４ｄ，４ｄを設けた一端より弾性連結部４ｃの位置まで、斜め上方に所定高さで底上げして、一対の把持部４ｂ，４ｂを斜め上方に浮かせる三角体形状の傾斜台座部１６をケース上面１ａより一体成形で突設している。
【００２８】
上記傾斜台座部１６の突出端部（図では右側の上端）の上面中央には、ヒューズプラー４の弾性連結部４ｃの内周面に嵌合する略円柱形状の第１係止部１７を突設し、ヒューズプラー４の前後方向Ｂを位置決めしている。また、台座部の下端（図中、左側）には、ヒューズプラーの係止爪４ｄ、４ｄを設けた側の挟持板４ａ、４ａの先端面に当接する略三角形状に突出した第２係止部１９を突設している。さらに、傾斜台座部１６の両側に挟持板４ａ、４ａの外面に当接する一対の垂直壁からなる第３係止部１８、１８を突設している。これら第３係止部１８、１８の上端よりヒューズプラーの挟持板４ａ、４ａの上面に当接する爪状の第４係止部１８ａ、１８ａを突設している。
【００２９】
上記第２実施例のヒューズプラー保持構造では、ケース上面１ａに斜め横位置で保持するヒューズプラー４の全体が傾斜台座部１６で上方に底上げされるから、ケース上面１ａと横位置のヒューズプラー４との間に指先Ａが入る大きな隙間Ｓが形成されるので、指先Ａでヒューズプラー４を斜め上方に引き起こして、各係止部１７〜１９からより簡単に取り外せるようになる。
また、ヒューズプラー４を再び傾斜台座部１６に保持するときは、従来と同様に、各係止部１７〜１９の間に上方から嵌め込むだけでよい。
【００３０】
また、保持位置では、第１係止部１７および第２係止部１９で前後方向Ｂの位置決め保持がなされ、第３係止部１８で左右方向Ｃの位置決め保持がなされ、第４係止部１８ａで上方への抜け止めが図られる。
【００３１】
さらに、第１実施例と同様に、第３係止部１８とヒューズ収容部の外壁との間にヒューズプラー４を保持して保護するため、外部部材が干渉するのを防止できる。
【００３２】
【発明の効果】
以上の説明から明らかなように、本発明の請求項１のヒューズプラーの保持構造は、ケース上面に横位置で保持したヒューズプラーの全体を台座部で上方に底上げしているため、ケース上面と横位置のヒューズプラーとの間に指先が入る隙間が形成でき、指先でヒューズプラーを簡単に取り外せる。よって、メンテナンス時の作業性が向上する。
【００３３】
また、請求項２および請求項４のヒューズプラー保持構造によれば、ヒューズプラーは台座上で水平に保持でき、しかも、各係止部により前後方向の位置決め、回り止め及び上方への抜けが防止でき、ヒューズプラーを脱落することなく、確実に保持できる。
【００３４】
さらに、請求項３のヒューズプラー保持構造によれば、台座部を傾斜させているため、ヒューズプラーの全体の保持位置を高くすることなく、台座部の突出端とケース上面との隙間を大きくでき、ヒューズプラー抜き取り時に指を入れる空間をより大きくとることができる。
【００３５】
さらにまた、請求項５のヒューズプラー保持構造によれば、ヒューズ収容部の外壁を保護壁として利用でき、保持しているヒューズプラーの両側を壁により保護するため、外部部材がヒューズプラーに干渉して、ヒューズプラーに損傷が発生したり、係止部との係止が外れてヒューズプラーが脱落することを防止できる。
【図面の簡単な説明】
【図１】本発明の第１実施例のヒューズプラーの保持構造の斜視図である。
【図２】（Ａ）はヒューズプラーを取り外した保持構造の斜視図、（Ｂ）はヒューズプラーの取り外し要領の正面図である。
【図３】（Ａ）はヒューズプラーの保持構造の平面図、（Ｂ）は（Ａ）の正面図である。
【図４】第２実施例のヒューズプラーの保持構造であり、（Ａ）は平面図、（Ｂ）は（Ａ）の正面断面図、（Ｃ）はヒューズプラーの取り外し要領の正面図である。
【図５】従来のヒューズプラーの保持構造の斜視図である。
【図６】図５のヒューズプラー保持部の拡大斜視図、（Ｂ）はヒューズプラーの取り外し要領の正面図である。
【符号の説明】
１      電気接続箱
１ａ    ケース上面
２      ヒューズ収容部
２ａ    外壁
３      ヒューズ
４      ヒューズプラー
４ａ    挟持板
４ｂ    把持部
４ｃ    弾性連結部
４ｄ    係止爪
１０    台座部
１１    第１係止部
１１ａ  ロック爪
１２    第３係止部
１３    第２係止部
１６    傾斜台座部
１７    第１係止部
１８    第３係止部
１８ａ  第４係止部
１９    第２係止部
Ｓ      隙間
【図１】
0003570007.tif 000002
【図２】
0003570007.tif 000003
【図３】
0003570007.tif 000004
【図４】
0003570007.tif 000005
【図５】
0003570007.tif 000006
【図６】
0003570007.tif 000007